(57)【特許請求の範囲】
【請求項１】
不燃性材料からなると共に、貫通穴（６）を有する板部材（１）と、
上記板部材（１）の貫通穴（６）を塞ぐように、上記板部材（１）に取り付けられると共に、上記板部材（１）の表裏両面に各一部が露出する難燃性の配線台（２）と、
上記配線台（２）に、上記板部材（１）の表面側に位置するように設けられた外部接続端子（４１）と、
上記配線台（２）に、上記板部材（１）の裏面側に位置するように設けられると共に、上記外部接続端子（４１）に電気的に接続された内部接続端子（４２）と
を備え、
上記板部材（１）の下部にはヒンジ（１２）が設けられていることを特徴とする電源電線接続部構造。
【請求項２】
請求項１に記載の電源電線接続部構造において、
上記板部材（１）は板金であることを特徴とする電源電線接続部構造。
【請求項３】
請求項１に記載の電源電線接続部構造において、
上記板部材（１）には、その板部材（１）の上部から表側に屈曲して、上記配線台（２）の上面を覆うひさし（１１）が設けられていることを特徴とする電源電線接続部構造。
【請求項４】
圧縮機（５７）と凝縮器（５４，５５）と膨張機構（５６）と蒸発器（５４，５５）とを順次接続してなる冷媒回路（５３）と、
請求項１乃至３のいずれか１つに記載された電源電線接続部構造を有すると共に、上記冷媒回路（５３）を制御する制御部品（５９）を収納する電装品箱（５８）と
備えることを特徴とする空気調和機。
【発明の詳細な説明】
【技術分野】
【０００１】
本発明は、例えば空気調和機の室外ユニット等に使用される電源電線接続部構造および空気調和機に関する。
【背景技術】
【０００２】
従来、空気調和機としては、図５に示すように、室内ユニット１０１から電源電線１０３を介して室外ユニット１０２へ電気を供給するものがある。上記室外ユニット１０２内には電装品箱１０４が設置されている。
【０００３】
図６に、上記室外ユニット１０２から表面側壁および天板を取り外した状態の概略図を示す。
【０００４】
上記室外ユニット１０２内では、機内配線１０６の一方の端部が電装品箱１０４内に入ってプリント基板（図示せず）に接続している。一方、上記機内配線１０６の他方の端部は、電装品箱１０４外に出て端子台１０５を介して電源電線１０３の室外ユニット１０２側の端部に電気的に接続している。
【０００５】
上記端子台１０５は電装品箱１０４の外壁面１０９にネジで固定されていて、図７に示すように、機内配線１０６の他方の端部を抜き差し可能な機内配線接続部１０７と、電源電線１０３の室外ユニット１０２側の端部をネジで固定可能な電源電線接続部１０８とを有している。
【０００６】
ところで、上記従来の空気調和機によれば、施工者が電源電線１０３の室外ユニット１０２側の端部と電源電線接続部１０８とを電気的に接続するが、この接続が不十分になることがある。つまり、上記電源電線１０３の室外ユニット１０２側の端部と電源電線接続部１０８との間で接続不良が生じる場合がある。このため、上記電源電線接続部１０８の発熱による出火が生じる可能性がある。
【０００７】
もし、上記電源電線接続部１０８の発熱による出火が生じると、機内配線１０６が電源電線接続部１０８近傍にあるので、電源電線接続部１０８の火が機内配線１０６に容易に燃え移り、機内配線１０６が延焼してしまう。
【０００８】
したがって、上記従来の空気調和機では、電源電線接続部１０８の発熱による出火が電気火災に至る可能性があるという問題ある。
【特許文献１】特開２０００−３５３５５５号公報
【発明の開示】
【発明が解決しようとする課題】
【０００９】
そこで、本発明の課題は、電気火災の発生を防止することができる電源電線接続部構造および空気調和機を提供することにある。
【課題を解決するための手段】
【００１０】
上記課題を解決するため、本発明の電源電線接続部構造は、
不燃性材料からなると共に、貫通穴を有する板部材と、
上記板部材の貫通穴を塞ぐように、上記板部材に取り付けられると共に、上記板部材の表裏両面に各一部が露出する難燃性の配線台と、
上記配線台に、上記板部材の表面側に位置するように設けられた外部接続端子と、
上記配線台に、上記板部材の裏面側に位置するように設けられると共に、上記外部接続端子に電気的に接続された内部接続端子と
を備え、
上記板部材の下部にはヒンジが設けられていることを特徴としている。
【００１１】
上記構成の電源電線接続部構造によれば、上記配線台の外部接続端子が板部材の表面側に位置すると共に、配線台の内部接続端子が板部材の裏面側に位置することによって、不燃材料からなる板部材が外部接続端子と内部接続端子との間に位置するから、外部接続端子の発熱による出火が生じても、板部材の内部接続端子側（裏面側）にある部材には外部接続端子の火は燃え移り難くい。
【００１２】
したがって、上記板部材の内部接続端子側にある部材の延焼を板部材で防ぎ、電気火災の発生を防止することができる。
【００１３】
また、上記外部接続端子の発熱による出火が電気火災に至らないので、電気火災に対する安全性を向上させることができる。
また、上記板部材の下部にはヒンジが設けられているから、板部材を回動させて、板部材の裏面に設けた部材を露出させることができる。したがって、上記板部材の裏面に設けた部材のメンテナンスを容易に行うことできる。
【００１４】
一実施形態の電源電線接続部構造では、
上記板部材は板金である。
【００１５】
上記実施形態の電源電線接続部構造によれば、上記板部材は板金であるから、製造コストの増大を防ぐことができる。
【００１６】
一実施形態の電源電線接続部構造では、
上記板部材には、その板部材の上部から表側に屈曲して、上記配線台の上面を覆うひさしが設けられている。
【００１７】
上記実施形態の電源電線接続部構造によれば、上記板部材には、その板部材の上部から表側に屈曲して、配線台の上面を覆うひさしが設けられているから、配線台の上方にある部材に対して外部接続端子の火を燃え移り難くすることができる。
【００１８】
【００１９】
【００２０】
本発明の空気調和機は、
圧縮機と凝縮器と膨張機構と蒸発器とを順次接続してなる冷媒回路と、
上記電源電線接続部構造を有すると共に、上記冷媒回路を制御する制御部品を収納する電装品箱と
備えることを特徴としている。
【００２１】
上記構成の空気調和機によれば、上記電装品箱が電源電線接続部構造を有するから、電気火災に対する安全性を高めることができる。
【発明の効果】
【００２２】
本発明の電源電線接続部構造によれば、配線台の外部接続端子が板部材の表面側に位置すると共に、配線台の内部接続端子が板部材の裏面側に位置することによって、不燃材料からなる板部材が外部接続端子と内部接続端子との間に位置するから、外部接続端子の発熱による出火が生じても、板部材の内部接続端子側（裏面側）にある部材への延焼を板部材で防ぎ、電気火災の発生を防止することができる。
【００２３】
また、上記外部接続端子の発熱による出火が電気火災に至らないので、電気火災に対する安全性を向上させることができる。
【００２４】
一実施形態の電源電線接続部構造によれば、上記板部材は板金であるから、製造コストの増大を防ぐことができる。
【００２５】
一実施形態の電源電線接続部構造によれば、上記板部材には、その板部材の上部から表側に屈曲して、配線台の上面を覆うひさしが設けられているから、配線台の上方にある部材に対して外部接続端子の火を燃え移り難くすることができる。
【００２６】
一実施形態の電源電線接続部構造によれば、上記板部材の下部にはヒンジが設けられていることによって、板部材を回動させて、板部材の裏面に設けた部材を露出させることができるので、板部材の裏面に設けた部材のメンテナンスを容易に行うことができる。
【００２７】
本発明の空気調和機によれば、上記電装品箱が電源電線接続部構造を有するから、電気火災に対する安全性を高めることができる。
【発明を実施するための最良の形態】
【００２８】
以下、本発明の電源電線接続部構造を図示の実施の形態により詳細に説明する。
【００２９】
図１に、本発明の一実施の形態の空気調和機の概略構成図を示す。
【００３０】
上記空気調和機は、室内ユニット５１、室外ユニット５２および冷媒回路５３を備えている。
【００３１】
上記室内ユニット５１内には室内側熱交換器５４が配置されている。この室内側熱交換器５４は、冷房運転時、蒸発器として機能する一方、暖房運転時、凝縮器として機能する。
【００３２】
上記室外ユニット５２内には、室外側熱交換器５５、膨張機構５６、圧縮機５７および電装品箱５８が配置されている。上記室外側熱交換器５５は、冷房運転時、凝縮器として機能する一方、暖房運転時、蒸発器として機能する。また、上記電装品箱５８には、冷媒回路５３を制御するプリント基板５９が収納されている。
【００３３】
上記冷媒回路５３は室内側熱交換器５４と圧縮機５７と室外側熱交換器５５と膨張機構５６とを順次接続してなっている。
【００３４】
図示しないが、上記室内ユニット５１，室外ユニット５２の各内部には送風機が設置されている。
【００３５】
図２に、上記電装品箱５８が有する電源接続部構造の概略断面図を示す。
【００３６】
上記電源電線接続部構造は電装品箱５８の一方の側壁１に設けられている。より詳しくは、上記電源電線接続部構造は、側壁１と、この側壁１にネジで固定された難燃性の端子台２と、端子台２に設けられた外部接続端子４１および内部接続端子４２とを備えている。なお、上記側壁１は板部材の一例である。また、上記端子台２は配線台の一例である。
【００３７】
上記側壁１は、端子台２の一部が挿入される貫通穴６を有している。また、上記側壁１は板金からなっている。
【００３８】
上記端子台２は、ハウジング３と、このハウジング３に取り付けられた断面コの字形状の導電ターミナル４と、この導電ターミナル４に設けられたビス穴４４に螺合する端子ビス５とを有している。このような端子台２が、側壁１の貫通穴６を塞ぐように、側壁１に取り付けられている。そして、上記端子台２は側壁１の表裏両面にハウジング３の各一部が露出している。また、上記ハウジング３には、端子ビス５の軸部５２が入る凹部３１が設けられている。
【００３９】
上記導電ターミナル４は、側壁１の表面側に位置する外部接続端子４１と、側壁１の裏面側に位置する内部接続端子４２とを有している。この外部接続端子４１と内部接続端子４２との間は互いに導通している。
【００４０】
上記端子ビス５は、頭部５１と、この頭部５１に連なる軸部５２とから成っている。この軸部５２はスプリングワッシャ９および角座１０を挿通している。
【００４１】
図３に、上記側壁１を表側から見た概略図を示す。
【００４２】
上記外部接続端子４１には、施工者が電源電線７を電気的に接続する。具体的には、施工者が、電源電線７の一方の端部に設けられた丸型端子７１を端子ビス５の頭部５１と導電ターミナル４の外部接続端子４１との間に挿入した後、端子ビス５を締め付ける。これにより、上記頭部５１と外部接続端子４１とが丸型端子７１（図１参照）を挟持し、外部接続端子４１と電源電線７とが導通状態となる。
【００４３】
上記側壁１には、その側壁１の上部から表側に屈曲して、端子台２の上面を覆うひさし１１が設けられている。また、上記側壁１の下部にはヒンジ１２が設けられている。
【００４４】
図４に、上記側壁１を裏側から見た概略図を示す。
【００４５】
上記内部接続端子４２には、製造者がハーネス８を電気的に接続する。具体的には、製造者が、ハーネス８の一方の端部に設けられたコネクタ８１を内部接続端子４２に嵌合させる。これにより、上記内部接続端子４２とハーネス８とが導通状態となる。
【００４６】
上記電源電線７の他方の端部は室内ユニット５１に接続されている。また、上記ハーネス８の他方の端部は電装品箱５８内のプリント基板５９に接続されている。
【００４７】
上記構成の空気調和機によれば、上記端子台２の外部接続端子４１が側壁１の表面側に位置すると共に、端子台２の内部接続端子４２が側壁１の裏面側に位置することによって、板金からなる側壁１が外部接続端子４１と内部接続端子４２との間に位置するから、外部接続端子４１の発熱による出火が生じても、側壁１の内部接続端子４２側（裏面側）にある部材には外部接続端子４１の火は燃え移り難くい。
【００４８】
したがって、上記側壁１の内部接続端子４２側にある部材の延焼を側壁１で防ぎ、電気火災の発生を防止することができる。
【００４９】
また、上記外部接続端子４１の発熱による出火が電気火災に至らないので、電気火災に対する安全性を向上させることができる。
【００５０】
また、上記外部接続端子４１と内部接続端子４２との間が互いに導通しているから、側壁１の裏面側のハーネス８を側壁１の表面側に引き出さなくても、側壁１の表面側の電源電線７に側壁１の裏面側のハーネス８を電気的に接続することができる。
【００５１】
また、上記側壁１の表面側には外部接続端子４１があって内部接続端子４２がないから、図６の端子台１０５を用いるときに比べて、側壁１の表面側において端子台２を配置するためのスペースが少ない。したがって、上記端子台２の設置の自由度を高めることができる。
【００５２】
また、上記側壁１が板金であるから、製造コストの増大を防ぐことができる。
【００５３】
また、上記側壁１の上部に設けたひさし１１によって、外部接続端子４１の発熱による火が端子台２の上方の部材に燃え移るのを防ぐことができる。
【００５４】
また、上記側壁１の下部にはヒンジ１２が設けられているから、側壁１を図３の矢印Ｒ方向に回動させて、側壁１の裏面に設けた部材を露出させることができる。したがって、上記側壁１の裏面に設けた部材のメンテナンスを容易に行うことできる。
【００５５】
上記実施の形態では、電装品箱５８の一方の側壁１は板金であったが、これに限定されない。つまり、上記電装品箱５８の一方の側壁１は不燃性材料で形成すればよい。
【００５６】
また、上記端子台２は電装品箱５８の一方の側壁１に固定していたが、室外ユニット内の他の部材に固定してもよい。ただし、上記他の部材は不燃性材料から成るものである。
【００５７】
また、上記実施の形態では、端子台２を側壁１にネジで固定していたが、図示しないが、可撓性を有する係合爪を端子台に設け、この端子台を貫通穴に挿入して、係合爪と端子台の本体とで電源電線を挟むようにしてもよい。
【００５８】
また、上記実施の形態では、端子ビス５を用いて、電源電線７の一方の端部に設けられた丸型端子７１を導電ターミナル４の外部接続端子４１に固定していたが、ビスを用いないで、電源電線の一方の端部に設けられた端子を導電ターミナルの外部接続端子に固定してもよい。つまり、上記電源電線の一方の端部に設けられた端子と、導電ターミナルの外部接続端子との接続構造に、工業用端子台（ＪＩＳ Ｃ ２８１１）のねじなし端子台と同様の構造を用いてもよい。
【００５９】
より詳しくは、上記端子台に、側壁の表面側に位置するバネ部材および外部接続端子を設けて、バネ部材と外部接続端子との間に電源電線の一方の端部を挿入したときに、バネ部材のバネ力によって電源電線の一方の端部が外部接続端子に押し付けられて、電源電線の一方の端部が外部接続端子に接続されるようにしてもよい。
【００６０】
また、上記端子台に、側壁の表面側に位置する押しボタンを設けて、この押しボタンを押したときに、外部接続端子から電源電線の一方の端部を離すことができるようにしてもよい。つまり、上記押しボタンを押したとき、電源電線の一方の端部と外部接続端子との接続が解除可能な状態となるようにしてもよい。
【００６１】
上記実施の形態では、電源電線接続部構造を室外ユニット５２内の電装品箱５８に設けていたが、電源電線接続部構造を室内ユニット５１内の電装品箱に設けてもよい。
【００６２】
上記電源電線接続部構造は、セパレート形空気調和機の室内ユニットや室外ユニットで使用できるのはもちろんのこと、マルチ形空気調和機の室内ユニットや室外ユニットにも使用できる。
【００６３】
また、本発明が、空気調和機以外の様々な電気機器にも使用できることは言うまでもない。
【図面の簡単な説明】
【００６４】
【図１】図１は本発明の一実施の形態の空気調和機の概略構成図である。
【図２】図２は本発明の一実施の形態の電源電線接続部構造の概略断面図である。
【図３】図３は上記電源電線接続部構造を有する電装品箱の一方の側壁を表側から見た概略図である。
【図４】図４は上記電装品箱の一方の側壁を裏側から見た概略図を示す。
【図５】図５は従来の空気調和機の概略構成図である。
【図６】図６は上記従来の空気調和機の室外ユニットの内部の概略図である。
【図７】図７は上記従来の端子台の概略平面図である。
【符号の説明】
【００６５】
１  電装品箱の一方の側壁
２  端子台
４  導電ターミナル
６  貫通穴
１１  ひさし
１２  ヒンジ
４１  外部接続端子
４２  内部接続端子
５３  冷媒回路
５７  圧縮機
５４  室内側熱交換器
５５  室外側熱交換器
５６  膨張機構
５８  電装品箱
５９  プリント基板
【図１】
0004587901.tif 000002
【図２】
0004587901.tif 000003
【図３】
0004587901.tif 000004
【図４】
0004587901.tif 000005
【図５】
0004587901.tif 000006
【図６】
0004587901.tif 000007
【図７】
0004587901.tif 000008